(57)【要約】【課題】幅広い用途に共通して使用が可能な摺動接点を提供する。【解決手段】摺動接点１は、第１、第２および第３の接点部３，４，５を有している。各接点部３，４，５は、先端部に幅寸法が異なる第１の分割片７と第２の分割片８を備えている。各接点部３，４，５は、第１の分割片７と第２の分割片８に分割されているので、摺動時におけるチャタリングの発生を極力防止できる。また、幅寸法が大きい第１の分割片７は、熱容量を確保することができるとともに、接圧も確保することが可能となる。このため、摺動接点１としては、比較的大きな電流が流れる部分でも、小さな電流が流れる部分でも使用が可能となる。【選択図】図１
2015103345.tif 000002
【特許請求の範囲】
【請求項１】
一つの接点部の先端部に、幅寸法が異なる第１の分割片と第２の分割片を備えたことを特徴とする摺動接点。
【発明の詳細な説明】
【技術分野】
【０００１】
本発明は、スライドスイッチなどに用いられる摺動接点に関する。
【背景技術】
【０００２】
この種の摺動接点は導電性を有する金属板により形成されている。この摺動接点としては、複数の接点部を有していて、一つの接点部が、それぞれ細長い片状に形成されているものがある。各接点部は弾性を有していて、先端部が、接続対象の例えば固定接点に対して摺動により接離する構成となっている。一つの接点部の形状としては、先割れしていない一つの片状になったものや、先端部が複数の分割片に分割された形状のものがある。
【先行技術文献】
【特許文献】
【０００３】
【特許文献１】特開平６−３４２６８４号公報
【発明の概要】
【発明が解決しようとする課題】
【０００４】
一つの接点部が先割れせず一つの片状になったものでは、固定接点に対する接圧を大きくできる利点がある。また、このような先割れしていない摺動接点は、熱容量が比較的大きく確保でき、当該摺動接点とスイッチを構成する固定接点が、電源と負荷との間に配置され、比較的大きな電流を入り切りする部分には向いている。しかしながら、このような先割れしていない摺動接点は、摺動時にチャタリングが発生し易いという欠点がある。
【０００５】
一方、一つの接点部の先端部が複数の分割片に分割された形状のものの場合には、摺動時に複数の分割片が同時に固定接点から離間する確率は少なくなるので、チャタリングの発生を極力防止できる利点がある。しかしながら、分割片の一片の幅が小さくなるため、熱容量が小さくなり、比較的大きな電流を入り切りする部分には不向きとなる。また、大きな接圧を得難くなる。
このため、従来では、用途に応じて、先割れしていないものと、先割れしたものを使い分ける必要があった。
【０００６】
そこで、本発明は、幅広い用途に共通して使用することが可能な摺動接点を提供することを目的とする。
【課題を解決するための手段】
【０００７】
上記した目的を達成するために、本発明の摺動接点は、一つの接点部の先端部に、幅寸法が異なる第１の分割片と第２の分割片を備えたことを特徴とする。
【発明の効果】
【０００８】
上記した手段によれば、一つの接点部は、第１の分割片と第２の分割片に分割されているので、摺動時におけるチャタリングの発生を極力防止できる。また、第１の分割片と第２の分割片では、幅寸法が異なっている。幅寸法が大きい第１の分割片は、熱容量を確保することができるとともに、接圧も確保することが可能となる。このため、摺動接点としては、比較的大きな電流が流れる部分でも、小さな電流が流れる部分でも使用が可能となり、幅広い用途に共通して使用することが可能となる。
【図面の簡単な説明】
【０００９】
【図１】本発明の一実施形態による摺動接点の斜視図
【図２】一つの接点部を拡大して示す拡大平面図
【図３】固定接点と摺動接点を示す概略平面図
【発明を実施するための形態】
【００１０】
以下、本発明の一実施形態について図面を参照して説明する。
図１において、摺動接点１は導電性の金属板により形成されたもので、この場合、ベース部２と、第１、第２および第３の３つの接点部３，４，５を一体に有している。第１、第２および第３の接点部３，４，５は、それぞれ細長い片状をなしていて、ベース部２から斜め下方に向けて延びている。これら第１、第２および第３の接点部３，４，５は同一の構成であるので、図２も参照して第１の接点部３を代表して説明する。
【００１１】
第１の接点部３には、延び方向の中間部から先端部にかけてスリット６が形成されていて、当該第１の接点部３の先端部は、第１の分割片７と、第２の分割片８とに分割されている。第１の分割片７と第２の分割片８は、互いに幅寸法が異なっている。具体的には、この場合、図２に示すように、第１の分割片７の幅寸法Ｄ１は１．０ｍｍに設定され、第２の分割片８の幅寸法Ｄ２は、第１の分割片７より細く、０．３ｍｍに設定されている。また、スリット６の幅寸法Ｄ３は０．３ｍｍに設定されている。第１の分割片７の先端部７ａおよび第２の分割片８の先端部８ａは、ともに摺動しやすいように、下側へ凸となるように湾曲している。
【００１２】
図３に示すように、摺動接点１が摺動する対象の配線基板１０の上面には、第１の固定接点１１、第２の固定接点１２、および第３の固定接点１３が設けられている。これら第１、第２および第３の固定接点１１，１２，１３は、互いに平行状態となるように配置されている。このうち、中央部に位置する第２の固定接点１２は、図３の左右方向に連続して延びている。図３において、上側に位置する第１の固定接点１１は、左右の中央部より左側に配置され、下側に位置する第３の固定接点１３は、左右の中央部より右側に配置されている。３個の各固定接点１１，１２，１３の幅寸法は、対応する接点部３，４，５の幅寸法よりもやや大きく設定されている。
【００１３】
次に上記構成の作用を説明する。
図３において、摺動接点１は、図示しない可動子の移動に伴い矢印Ａ１方向および矢印Ａ１とは反対方向に摺動されるようになっている。摺動接点１が、図３に示す位置に位置した状態では、第２の接点部４における第１の分割片７の先端部７ａおよび第２の分割片８の先端部８ａは第２の固定接点１２の上面に接触しているが、第１の接点部３における第１の分割片７の先端部７ａおよび第２の分割片８の先端部８ａは、第１の固定接点１１に対して右側に離間して位置し、また、第３の接点部５における第１の分割片７の先端部７ａおよび第２の分割片８の先端部８ａは、第３の固定接点１３に対して左側に離間して位置している。この状態では、スイッチとしてはオフ状態であり、第１の固定接点１１と第２の固定接点１２との間、および第２の固定接点１２と第３の固定接点１３との間は、共に電気的に遮断された状態となっている。
【００１４】
図３の状態から、摺動接点１が例えば矢印Ａ１方向へ摺動されると、第２の接点部４における第１の分割片７の先端部７ａおよび第２の分割片８の先端部８ａが第２の固定接点１２に接触したまま、第１の接点部３における第１の分割片７の先端部７ａおよび第２の分割片８の先端部８ａが第１の固定接点１１の上面に接触する状態に切り替わる。この状態では、第２の固定接点１２と第１の固定接点１１との間が摺動接点１により導通接続された第１の状態となる。
【００１５】
また、図３の状態から、摺動接点１が矢印Ａ１とは反対方向へ摺動されると、第２の接点部４における第１の分割片７の先端部７ａおよび第２の分割片８の先端部８ａが第２の固定接点１２に接触したまま、第３の接点部５における第１の分割片７の先端部７ａおよび第２の分割片８の先端部８ａが第３の固定接点１３の上面に接触する状態に切り替わる。この状態では、第２の固定接点１２と第３の固定接点１３との間が摺動接点１により導通接続された第２の状態となる。
【００１６】
上記した実施形態によれば、次のような作用効果を得ることができる。摺動接点１における第１から第３の各接点部３，４，５は、それぞれ第１の分割片７と第２の分割片８に分割されているので、摺動時に第１および第２の分割片７，８が同時に対応する固定接点から離間してしまうことを極力防止でき、摺動時におけるチャタリングの発生を極力防止できる。また、各接点部３，４，５における第１の分割片７と第２の分割片８では、幅寸法が異なっている。幅寸法が大きい第１の分割片７は、熱容量を確保することができるとともに、接圧も確保することが可能となる。このため、摺動接点１としては、比較的大きな電流が流れる部分でも、小さな電流が流れる部分でも使用が可能となり、幅広い用途に共通して使用することが可能となる。
【００１７】
（その他の実施形態）
第１から第３の各接点部３，４，５において、幅寸法が小さい第２の分割片８を２個ずつ設けたり、第２の分割片８の他に、当該第２の分割片８よりも幅寸法が小さい第３の分割片を設けたりすることもできる。
【００１８】
摺動接点１において、接点部としては第１から第３の３個の接点部３，４，５に限られず、２個、あるいは４個以上設けるようにしてもよい。
摺動接点１が摺動する対象としては、固定接点に限られず、可変抵抗器の抵抗体などでもよい。
【符号の説明】
【００１９】
図面中、１は摺動接点、３は第１の接点部、４は第２の接点部、５は第３の接点部、６はスリット、７は第１の分割片、８は第２の分割片、１０は配線基板、１１は第１の固定接点、１２は第２の固定接点、１３は第３の固定接点を示す。
【図１】
2015103345.tif 000003
【図２】
2015103345.tif 000004
【図３】
2015103345.tif 000005